(57)【要約】【課題】一つの側面として、接続部の破損を抑制することができるコネクタを提供することを目的とする。【解決手段】コネクタ１０は、複数の接続端子５２と、凸型に形成され、複数の接続端子５２を保持する樹脂製の接続部３４とを備えている。接続部３４の側面３４Ｄには、金属製の保護部６２が設けられている。この金属製の保護部６２は、接続部３４の側面３４Ｄにおける少なくとも接続部３４の先端部３４Ａ側の部分３４Ｄ１を覆っている。【選択図】図３
2014017091.tif 000002
【特許請求の範囲】
【請求項１】
複数の接続端子と、
凸型に形成され、前記複数の接続端子を保持する樹脂製の接続部と、
前記複数の接続端子のうちいずれかの接続端子と一体に形成され、前記接続部の側面に設けられると共に、前記接続部の側面における少なくとも前記接続部の先端部側の部分を覆う金属製の保護部と、
を備えたコネクタ。
【請求項２】
コネクタケースと、
凸型に形成されて前記コネクタケースに収容されると共に、複数の接続端子を保持する樹脂製の接続部と、
前記接続部の側面に設けられると共に、前記コネクタケースの側壁部と隙間を有して対向し、且つ、前記接続部の側面における少なくとも前記接続部の先端部側の部分を覆う金属製の保護部と、
を備えたコネクタ。
【請求項３】
前記保護部は、前記複数の接続端子のうちいずれかの接続端子と一体に形成されている、
請求項２に記載のコネクタ。
【請求項４】
前記複数の接続端子は、前記接続部の横幅方向に並んで配置され、
前記保護部が一体に形成された前記いずれかの接続端子は、前記複数の接続端子のうち外端に配置された接続端子である、
請求項１又は請求項３に記載のコネクタ。
【請求項５】
前記いずれかの接続端子及び前記保護部は、前記接続部の突出方向に沿って見た場合に断面Ｌ字状を成している、
請求項４に記載のコネクタ。
【請求項６】
コネクタケースと、
前記コネクタケースに固定された樹脂本体部と、
を備え、
前記接続部は、前記樹脂本体部から突出し、
前記いずれかの接続端子及び前記保護部は、前記接続部の突出方向に沿って延び、
前記いずれかの接続端子及び前記保護部の各々の基端部は、前記樹脂本体部に固定され、
前記いずれかの接続端子の先端部は、前記接続部の先端部に固定されている、
請求項５に記載のコネクタ。
【請求項７】
前記保護部は、前記接続部の側面の全体を覆っている、
請求項１〜請求項６のいずれか一項に記載のコネクタ。
【請求項８】
前記保護部の先端部は、前記複数の接続端子の先端部よりも前記接続部の先端部側に突出されている、
請求項１〜請求項７のいずれか一項に記載のコネクタ。
【請求項９】
前記保護部の先端部には、前記接続部の横幅方向内側に向けて折り曲げられた折曲部が形成されている、
請求項１〜請求項８のいずれか一項に記載のコネクタ。
【発明の詳細な説明】
【技術分野】
【０００１】
本願の開示する技術は、コネクタに関する。
【背景技術】
【０００２】
従来、接続端子と、この接続端子を保持する接続部とを備えたコネクタが知られている。
【先行技術文献】
【特許文献】
【０００３】
【特許文献１】特開平１１−１９５４６２号公報
【特許文献２】特開２００３−１２３９０８号公報
【発明の概要】
【発明が解決しようとする課題】
【０００４】
この種のコネクタに対しては、例えば、相手側のコネクタが斜めの方向から接続されたり、相手側のコネクタが上下又は左右に揺さ振られながら引き抜かれたりする場合が想定される。この場合には、相手側のコネクタが接続部にこじられることにより、接続部が破損する虞がある。
【０００５】
そこで、本願の開示する技術は、一つの側面として、接続部の破損を抑制することができるコネクタを提供することを目的とする。
【課題を解決するための手段】
【０００６】
上記目的を達成するために、本願の開示する技術によれば、複数の接続端子と、凸型に形成され、複数の接続端子を保持する樹脂製の接続部とを備えたコネクタが提供される。接続部の側面には、この接続部の側面における少なくとも接続部の先端部側の部分を覆う金属製の保護部が設けられている。
【発明の効果】
【０００７】
本願の開示する技術によれば、接続部の破損を抑制することができる。
【図面の簡単な説明】
【０００８】
【図１】コネクタの斜視図である。
【図２】図１のコネクタの側面断面図である。
【図３】図１のコネクタの平面断面図である。
【図４】図１の保護部を有する端子部材の斜視図である。
【図５】図１の保護部を有しない端子部材の斜視図である。
【図６】図１の保護部及びその周辺部の拡大斜視図である。
【図７】図１のコネクタに相手側のコネクタを真っ直ぐの方向から接続する様子を説明する平面断面図である。
【図８】図１のコネクタに相手側のコネクタを斜めの方向から接続する様子を説明する平面断面図である。
【図９】図１のコネクタの変形例を示す要部拡大斜視図である。
【発明を実施するための形態】
【０００９】
以下、本願の開示する技術の一実施形態を説明する。
【００１０】
図１に示される本実施形態に係るコネクタ１０は、例えば、インターフェース用の規格に対応するコネクタとして好適に使用される。この規格としては、例えば、Ｍｉｎｉ  ＵＳＢ（Ｕｎｉｖｅｒｓａｌ  Ｓｅｒｉａｌ  Ｂｕｓ）、Ｍｉｃｒｏ  ＵＳＢ、Ｍｉｃｒｏ  ＨＤＭＩ（Ｈｉｇｈ-Ｄｅｆｉｎｉｔｉｏｎ  Ｍｕｌｔｉｍｅｄｉａ  Ｉｎｔｅｒｆａｃｅ）  ＴｙｐｅＡ〜Ｄ等が挙げられる。
【００１１】
なお、このコネクタ１０は、上記規格に対応するコネクタ以外のコネクタとしても利用可能である。このコネクタ１０は、コネクタケース２０と、樹脂部材３０と、複数の端子部材４０，４１を備えている。
【００１２】
コネクタケース２０は、例えば、アルミニウム合金等の導電性を有する金属により形成されている。このコネクタケース２０は、正面視にて略長方形状を成す環状部２２を有しており、この環状部２２の正面部には、開口２４が形成されている。開口２４は、コネクタ１０の挿抜方向（コネクタケース２０の奥行き方向であってＬ方向）に開口されている。
【００１３】
樹脂部材３０は、例えば、後述する複数の端子部材４０，４１（複数の接続端子５２）と樹脂モールド成形（インサート成形）により一体化されている。この樹脂部材３０は、樹脂本体部３２と接続部３４とを有している。図２，図３に示されるように、樹脂本体部３２は、環状部２２の内周面と略同様の外形を有しており、この環状部２２の内周面と密着された状態で環状部２２の内側に収容されている。この樹脂本体部３２は、図示しない嵌合部等により、この環状部２２における背面側（開口２４と反対側）の部分に固定されている。
【００１４】
接続部３４は、凸型に形成されており、樹脂本体部３２からコネクタケース２０の開口２４に向けて突出している。この接続部３４は、図１に示されるように、コネクタケース２０の横幅方向（Ｗ方向）を長手方向とする正面視にて長方形状に形成されている。また、この接続部３４は、コネクタケース２０の内周面よりも小さい外形で形成されており、この接続部３４の外周面と環状部２２の内周面との間には、隙間が設けられている。この接続部３４には、後述する複数の接続端子５２の間に隔壁部３６が形成されている（図６も参照）。この隔壁部３６は、接続部３４の突出方向（Ｌ方向）に延びている。
【００１５】
複数の端子部材４０，４１は、例えば、銅などの導電性を有する金属により形成されている。この複数の端子部材４０，４１は、それぞれ接続端子５２を有している。この複数の接続端子５２は、接続部３４の横幅方向（Ｗ方向）に間隔を空けて並んで配置されている。各接続端子５２は、接続部３４の厚み方向（Ｔ方向）を板厚方向とする板状に形成されており、接続部３４の突出方向に沿って延びている。また、各接続端子５２は、図２に示されるように、それぞれ接続部３４における厚み方向一方側の面３４Ｂに重ね合わされた状態で、この接続部３４に保持されている。
【００１６】
図４，図５に示されるように、複数の接続端子５２の先端部５２Ａには、固定部５８がそれぞれ形成されている。この固定部５８は、図２に示されるように、接続部３４における厚み方向他方側の面３４Ｃに向けて折り曲げられている。そして、この固定部５８が接続部３４の先端部３４Ａに埋め込まれることにより、接続端子５２の先端部５２Ａは、接続部３４の先端部３４Ａに固定されている。一方、図３に示されるように、複数の接続端子５２の基端部５２Ｂは、上述の樹脂本体部３２に埋め込まれることにより、この樹脂本体部３２に固定されている。
【００１７】
また、この各接続端子５２の基端部５２Ｂには、図４，図５に示されるように、脚部５４が形成されている。この脚部５４は、垂下部５５と接続片５６とを有している。垂下部５５は、図２に示されるように、接続端子５２の基端部５２Ｂからコネクタケース２０の底壁部２８側に向けて延びている。接続片５６は、垂下部５５の先端部からコネクタケース２０の開口２４と反対側に向けて延びている。この接続片５６は、基板７０の導電部に半田付けされる。
【００１８】
図１に示されるように、この複数の接続端子５２のうち両側の外端に配置された接続端子５２（端子部材４０の接続端子５２）には、それぞれ保護部６２が一体に形成されている。この保護部６２が形成された接続端子５２は、いずれかの接続端子の一例である。なお、接続部３４における一方の側面３４Ｄに設けられた保護部６２を有する一方の端子部材４０は、接続部３４における他方の側面３４Ｄに設けられた保護部６２を有する他方の端子部材４０に対して接続部３４の横幅方向（Ｗ方向）に対称に形成されている。従って、以下では、一方の端子部材４０について説明し、他方の端子部材４０についての説明を省略する。
【００１９】
保護部６２は、それぞれ接続部３４の横幅方向を板厚方向とする板状に形成されており、接続部３４の突出方向に沿って延びている。この一方の端子部材４０に形成された接続端子５２及び保護部６２は、接続部３４の突出方向に沿って見た場合に断面Ｌ字状を成している（図４も参照）。この保護部６２は、接続部３４の側面３４Ｄに設けられており、この側面３４Ｄの全体を覆っている。この側面３４Ｄの全体とは、側面３４Ｄの略全体（例えば、側面３４Ｄよりも僅かに小さい場合）も含む趣旨である。また、この保護部６２は、コネクタケース２０の側壁部２６と隙間を有して対向している。
【００２０】
図３に示されるように、保護部６２の先端部６２Ａは、接続部３４の先端部３４Ａに達している。一方、保護部６２の基端部６２Ｂは、接続端子５２の基端部５２Ｂと同様に、樹脂本体部３２に埋め込まれることで、この樹脂本体部３２に固定されている。また、図６に示されるように、保護部６２の先端部６２Ａは、複数の接続端子５２の先端部５２Ａよりも接続部３４の先端部３４Ａ側に突出されている。
【００２１】
また、一方の端子部材４０において、保護部６２の先端部６２Ａと接続端子５２の先端部５２Ａとの間には、接続端子５２の基端部５２Ｂ側へ延びる切欠き６４が形成されている。図４に示されるように、この切欠き６４と接続端子５２及び保護部６２の各々の基端部５２Ｂ，６２Ｂとの間には、屈曲部６６が形成されており、接続端子５２及び保護部６２は、この屈曲部６６を介して接続されている。
【００２２】
なお、上述の端子部材４０は、接続端子５２、脚部５４、固定部５８、及び、保護部６２に対応する部分を有する平板部材が打ち抜き加工により形成された後、この平板部材が曲げ加工されることにより立体的な形状に形成されたものである。同様に、図５に示される他の端子部材４１は、接続端子５２、脚部５４、及び、固定部５８に対応する部分を有する平板部材が打ち抜き加工により形成された後、この平板部材が曲げ加工されることにより立体的な形状に形成されたものである。
【００２３】
そして、上述のコネクタ１０は、図７に示されるように、基板７０に実装された状態で、相手側（ケーブル７２側）のコネクタ８０と接続される。相手側のコネクタ８０は、コネクタケース８２と、このコネクタケース８２の内側に設けられた被接続部８４と、複数の被接続端子８６を備えている。被接続部８４は、凹型に形成されており、上述の凸型の接続部３４は、凹型の被接続部８４の内側に挿入されて被接続部８４と接続される。また、接続部３４及び被接続部８４が接続された状態では、複数の接続端子５２と複数の被接続端子８６とがそれぞれ接触される。
【００２４】
次に、本実施形態の作用及び効果について説明する。
【００２５】
図８に示されるように、本実施形態のコネクタ１０に対しては、相手側のコネクタ８０が斜めの方向から接続されたり、相手側のコネクタ８０が上下又は左右に揺さ振られながら引き抜かれたりする場合が想定される。
【００２６】
しかしながら、このコネクタ１０によれば、接続部３４の側面３４Ｄには、この接続部３４の側面３４Ｄを覆う金属製の保護部６２が設けられている。従って、上述の如く相手側のコネクタ８０が斜めの方向から接続されたり揺さ振られながら引き抜かれたりした場合でも、接続部３４の側面３４Ｄを金属製の保護部６２により保護することができる。これにより、接続部３４の側面３４Ｄが相手側のコネクタ８０によってこじられることを抑制することができるので、接続部３４が破損することを抑制することができる。
【００２７】
特に、保護部６２は、接続部３４の側面３４Ｄにおける先端部３４Ａ側の部分３４Ｄ１を覆っている。この部分３４Ｄ１は、上述の如く相手側のコネクタ８０が斜めの方向から接続されたり左右に揺さ振られながら引き抜かれたりした場合に相手側のコネクタ８０によるこじりが生じ易い箇所とされる。従って、このこじりが生じ易い部分３４Ｄ１を保護部６２により適切に保護することができる。
【００２８】
また、保護部６２は、接続部３４の側面３４Ｄの全体を覆っているので、接続部３４の側面３４Ｄの全体も保護することができる。
【００２９】
また、保護部６２は、端子部材４０の接続端子５２と一体に形成されている。従って、部品点数の増加を抑制することができる。
【００３０】
また、この保護部６２が形成された端子部材４０の接続端子５２は、複数の接続端子５２のうち外端に配置されたものである。従って、接続端子５２及び保護部６２が隣接しているので、この接続端子５２及び保護部６２を有する端子部材４０の構成を簡素化することができる。
【００３１】
また、この端子部材４０において、接続端子５２及び保護部６２は、接続部３４の突出方向に沿って見た場合に断面Ｌ字状を成している（図４参照）。従って、この接続端子５２及び保護部６２を有する端子部材４０が、接続端子５２及び保護部６２の二面において接続部３４に密着されるので、端子部材４０と接続部３４との密着性を確保することができる。
【００３２】
また、このように端子部材４０において接続端子５２及び保護部６２が断面Ｌ字状を成していると、保護部６２の剛性を向上させることができ、ひいては、接続部３４の保護性能を向上させることができる。
【００３３】
また、端子部材４０に形成された接続端子５２及び保護部６２の各々の基端部５２Ｂ，６２Ｂは、樹脂本体部３２に埋め込まれることにより、この樹脂本体部３２に固定されている。また、接続端子５２の先端部５２Ａは、図２に示されるように、この先端部５２Ａに形成された固定部５８が接続部３４の先端部３４Ａに埋め込まれることにより、この接続部３４の先端部３４Ａに固定されている。従って、この接続端子５２及び保護部６２を有する端子部材４０を接続部３４に強固に固定することができる。
【００３４】
また、図８に示されるように、保護部６２の先端部６２Ａは、複数の接続端子５２の先端部５２Ａよりも接続部３４の先端部３４Ａ側に突出されている。従って、コネクタ１０に相手側のコネクタ８０が斜めの方向から接続される場合でも、接続部３４の側面３４Ｄが相手側のコネクタ８０によってこじられることを、複数の接続端子５２が複数の被接続端子８６の各々に接続される前の段階で抑制することができる。
【００３５】
次に、本実施形態の変形例について説明する。
【００３６】
上記実施形態において、保護部６２は、接続部３４の側面３４Ｄの全体を覆うように形成されていたが、接続部３４の側面３４Ｄにおける先端部３４Ａ側の部分３４Ｄ１のみを覆うように形成されていても良い。つまり、この保護部６２は、接続部３４の側面３４Ｄにおける少なくとも先端部３４Ａ側の部分３４Ｄ１を覆うように形成されていても良い。
【００３７】
また、保護部６２は、端子部材４０の接続端子５２と一体に形成されていたが、この接続端子５２と別体に形成されていても良い。
【００３８】
また、コネクタ１０は、コネクタケース２０を備えていたが、コネクタケース２０を備えていなくても良い。
【００３９】
また、保護部６２は、複数の接続端子５２のうち外端に配置された接続端子５２と一体に形成されていたが、外端に配置された接続端子５２以外の接続端子５２（端子部材４１の接続端子５２）と一体に形成されていても良い。
【００４０】
また、接続部３４は、複数の端子部材４０，４１（複数の接続端子５２）とモールド成形（インサート成形）により一体化されていたが、例えば、複数の端子部材４０，４１とは別に樹脂成形された後、複数の端子部材４０，４１と一体に組み付けられても良い。
【００４１】
また、接続部３４の両側の側面３４Ｄに保護部６２が設けられていたが、接続部３４の一方の側面３４Ｄのみに保護部６２が設けられていても良い。
【００４２】
また、図９に示されるように、保護部６２の先端部６２Ａには、接続部３４の横幅方向内側に向けて折り曲げられた折曲部６８が形成されていても良い。このように構成されていると、この折曲部６８及び保護部６２によって接続部３４の先端部３４Ａ側の角部３８を保護することができる。
【００４３】
また、図７に示されるように、コネクタ１０は、基板７０に実装され、相手側のコネクタ８０は、ケーブル７２に接続されていたが、コネクタ１０は、ケーブル７２に接続され、相手側のコネクタ８０は、基板７０に実装されていても良い。
【００４４】
なお、上記複数の変形例のうち、組み合わせ可能な変形例は、適宜、組み合わされて実施されても良い。
【００４５】
以上、本願の開示する技術の一実施形態について説明したが、本願の開示する技術は、上記に限定されるものでなく、上記以外にも、その主旨を逸脱しない範囲内において種々変形して実施可能であることは勿論である。
【００４６】
なお、上述の本願の開示する技術の一態様に関し、更に以下の付記を開示する。
【００４７】
（付記１）
複数の接続端子と、
凸型に形成され、前記複数の接続端子を保持する樹脂製の接続部と、
前記複数の接続端子のうちいずれかの接続端子と一体に形成され、前記接続部の側面に設けられると共に、前記接続部の側面における少なくとも前記接続部の先端部側の部分を覆う金属製の保護部と、
を備えたコネクタ。
（付記２）
コネクタケースと、
凸型に形成されて前記コネクタケースに収容されると共に、複数の接続端子を保持する樹脂製の接続部と、
前記接続部の側面に設けられると共に、前記コネクタケースの側壁部と隙間を有して対向し、且つ、前記接続部の側面における少なくとも前記接続部の先端部側の部分を覆う金属製の保護部と、
を備えたコネクタ。
（付記３）
前記保護部は、前記複数の接続端子のうちいずれかの接続端子と一体に形成されている、
付記２に記載のコネクタ。
（付記４）
前記複数の接続端子は、前記接続部の横幅方向に並んで配置され、
前記保護部が一体に形成された前記いずれかの接続端子は、前記複数の接続端子のうち外端に配置された接続端子である、
付記１又は付記３に記載のコネクタ。
（付記５）
前記いずれかの接続端子及び前記保護部は、前記接続部の突出方向に沿って見た場合に断面Ｌ字状を成している、
付記４に記載のコネクタ。
（付記６）
前記いずれかの接続端子は、前記接続部の厚み方向を板厚方向とする板状に形成され、
前記保護部は、前記接続部の横幅方向を板厚方向とする板状に形成されている、
付記５に記載のコネクタ。
（付記７）
コネクタケースと、
前記コネクタケースに固定された樹脂本体部と、
を備え、
前記接続部は、前記樹脂本体部から突出し、
前記いずれかの接続端子及び前記保護部は、前記接続部の突出方向に沿って延び、
前記いずれかの接続端子及び前記保護部の各々の基端部は、前記樹脂本体部に固定され、
前記いずれかの接続端子の先端部は、前記接続部の先端部に固定されている、
付記５又は付記６に記載のコネクタ。
（付記８）
前記いずれかの接続端子及び前記保護部の各々の基端部は、前記樹脂本体部に埋め込まれることにより、前記樹脂本体部に固定され、
前記いずれかの接続端子の先端部には、固定部が折り曲げられて形成され、
前記いずれかの接続端子の先端部は、前記固定部が前記接続部の先端部に埋め込まれることにより、前記接続部の先端部に固定されている、
付記７に記載のコネクタ。
（付記９）
前記保護部は、前記接続部の側面の全体を覆っている、
付記１〜付記８のいずれか一項に記載のコネクタ。
（付記１０）
前記保護部の先端部は、前記複数の接続端子の先端部よりも前記接続部の先端部側に突出されている、
付記１〜付記９のいずれか一項に記載のコネクタ。
（付記１１）
前記保護部の先端部には、前記接続部の横幅方向内側に向けて折り曲げられた折曲部が形成されている、
付記１〜付記１０のいずれか一項に記載のコネクタ。
（付記１２）
前記接続部は、前記複数の接続端子と樹脂モールド成形により一体化されている、
付記１〜付記１１のいずれか一項に記載のコネクタ。
（付記１３）
前記保護部は、前記接続部における両側の側面に設けられている、
付記１〜付記１２のいずれか一項に記載のコネクタ。
（付記１４）
前記接続部における一方の側面に設けられた前記保護部を有する一方の端子部材は、前記接続部における他方の側面に設けられた前記保護部を有する他方の端子部材に対して前記接続部の横幅方向に対称に形成されている、
付記１３に記載のコネクタ。
（付記１５）
前記保護部は、前記接続部における両側の側面のうち一方の側面のみに設けられている、
付記１〜付記１２のいずれか一項に記載のコネクタ。
（付記１６）
前記保護部は、前記複数の接続端子のうちいずれかの接続端子と一体に形成され、
前記いずれかの接続端子及び前記保護部を有する端子部材は、前記いずれかの接続端子及び前記保護部に対応する部分を有する平板部材が打ち抜き加工により形成された後、前記平板部材が曲げ加工されることにより立体的な形状に形成されたものである、
付記１〜付記１５のいずれか一項に記載のコネクタ。
（付記１７）
前記コネクタは、Ｍｉｎｉ  ＵＳＢ（Ｕｎｉｖｅｒｓａｌ  Ｓｅｒｉａｌ  Ｂｕｓ）、Ｍｉｃｒｏ  ＵＳＢ、Ｍｉｃｒｏ  ＨＤＭＩ（Ｈｉｇｈ-Ｄｅｆｉｎｉｔｉｏｎ  Ｍｕｌｔｉｍｅｄｉａ  Ｉｎｔｅｒｆａｃｅ）  ＴｙｐｅＡ〜Ｄのいずれかの規格に対応している、
付記１〜付記１６のいずれか一項に記載のコネクタ。
【符号の説明】
【００４８】
１０  コネクタ
２０  コネクタケース
２６  側壁部
３２  樹脂本体部
３４  接続部
３４Ａ  接続部の先端部
３４Ｄ  接続部の側面
３４Ｄ１  接続部の側面における先端部側の部分
４０，４１  端子部材
５２  接続端子
５２Ａ  接続端子の先端部
５２Ｂ  接続端子の基端部
５８  固定部
６２  保護部
６２Ａ  保護部の先端部
６２Ｂ  保護部の基端部
６８  折曲部
８０  相手側のコネクタ
【図１】
2014017091.tif 000003
【図２】
2014017091.tif 000004
【図３】
2014017091.tif 000005
【図４】
2014017091.tif 000006
【図５】
2014017091.tif 000007
【図６】
2014017091.tif 000008
【図７】
2014017091.tif 000009
【図８】
2014017091.tif 000010
【図９】
2014017091.tif 000011